(57)【要約】【課題】ディスプレイ用途等に好適で透明被覆層で被覆され電磁波遮蔽材の層内部の導電体層から導電体層の剥離や切断なしに表裏面にアースを取り出す。【解決手段】電磁波遮蔽材１０は、透明基材１上に導電体層２及び透明被覆層３が積層された積層材４の接地部分に、積層材を貫通する接地孔５を設け、導電金属シート６を一部は接地孔周囲に広がる様に残して接地孔を貫通させて接地孔側面で導電体層と接触させ、更に貫通させる部分は分割して折返し片６ａとして貫通先の接地孔周囲に折返して広げて、接地孔部分に空洞Ａを形成した接地構造とする。さらに、接地孔周囲の表裏に広がる導電金属シートには、表裏互い違いの位置の凹陥部を設けて積層材に食い込ませたり、空洞内にハトメなど固定具を更に挿入して圧迫したりして、積層材への固定を補強すると良い。【選択図】  図１
2011009492.tif 000002
【特許請求の範囲】
【請求項１】
透明基材上に導電体層、及び電気絶縁体からなる透明被覆層がこの順に積層された積層材の接地領域内で接地を行う接地部分に、該積層材を貫通する接地孔に対して、該積層材の一方の面から導電金属シートが、その一部を該一方の面に沿って接地孔周囲に広がり、残りの部分が該接地孔を貫通すると共に該接地孔の側面で露出する前記導電体層に接触し、更に該接地孔を貫通した導電金属シートは前記一方の面に広がる導電金属シートと連続した状態で分割された折返し片となって、該接地孔周囲の積層材の他方の面に沿って広がり、更に導電金属シートが貫通した後の接地孔部分には積層材の表裏空間を連結する空洞を有する、電磁波遮蔽材。
【請求項２】
接地孔の周囲で積層材表裏両側に沿って広がる導電金属シート部分に、表裏で互い違いに且つ接地孔周囲に沿う形状で積層材に食い込む、表側凹陥部と裏側凹陥部との凹陥部を形成することで、導電金属シートの積層材への固定が補強されている、請求項１に記載の電磁波遮蔽材。
【請求項３】
導電金属シートが貫通した接地孔部分の空洞に、該空洞を貫通する固定具で導電金属シートを積層材に圧迫することで、導電金属シートの積層材への固定が補強されている、請求項１又は２に記載の電磁波遮蔽材。
【発明の詳細な説明】
【技術分野】
【０００１】
本発明は各種の用途、中でも特にディスプレイの前面に配置するのに好適な、電磁波遮蔽材に関する。
【背景技術】
【０００２】
現在、ディスプレイ（画像表示装置とも言う）として、旧来のブラウン管（ＣＲＴ）ディスプレイ以外に、フラットパネルディスプレイ（ＦＰＤ）となる、液晶ディスプレイ（ＬＣＤ）、プラズマディスプレイパネル（以後ＰＤＰとも言う）、電界発光（ＥＬ）ディスプレイ等の各種ディスプレイが実用されている。これらの中でも、特に、ＰＤＰは不要な電磁波放出が強いため、ディスプレイの前面に電磁波遮蔽材を配置している。
【０００３】
この様にディスプレイの前面に配置する用途の電磁波遮蔽材においては、導電体層として金属層など不透明な導電体層を利用する場合、電磁波遮蔽性能と共に光透過性を実現するために、図７の平面図で例示する様に、電磁波遮蔽材の中央部の画像表示領域２Ｄに於ける導電体層２には、多数の開口部をメッシュ状に形成したパターン領域２Ａを設けている。一方、電磁波遮蔽材の外縁部の導電体層では、電磁波シールド本来の目的の為にアース（接地）取りを行う必要があるため、例えば、導電体層には前記パターン領域の周縁部の四方全周囲に、開口部は設けない連続層で額縁形状（長方形の枠形状）の接地領域２Ｂを設けている。また、接地領域２Ｂを連続層で設ける場合、パターン領域２Ａは画像表示領域２Ｄよりも若干大きめで画像表示領域２Ｄの全域を含める様に設けている。
【０００４】
一方、電磁波遮蔽材は、本来の電磁波遮蔽機能以外に、更に近赤外線吸収、ネオン光吸収、反射防止等の光学フィルタ機能の付与、導電体層の傷付き防止などの為に、導電体層面に光学フィルムなど透明被覆シートを積層したり、導電体層上に樹脂層を塗布形成したりして被覆することがあり、これらが透明被覆層として導電体層上に存在することになる。
なお、本願明細書中に於いて、「電磁波」とは広義の電磁波のうちで、特に、ｋＨｚ帯域からＧＨｚ帯域のもの、中でも特に、ＶＣＣＩ規格による規制周波数の３０ＭＨｚ〜１ＧＨｚ前後の周波数帯域のものを呼称するものとし、可視光線（乃至光）、（近）赤外線、紫外線等の周波数帯域のものは、各々、「可視光線（乃至光）」、「（近）赤外線」、「紫外線」等と呼称する。
【０００５】
また、電磁波遮蔽材は電磁波遮蔽機能の点で、導電体層から外部にアースを取り出す必要があるので、電磁波遮蔽材の外周部の接地領域に於ける導電体層は、電気絶縁体である透明被覆層から露出させることが望ましい。
そこで、導電体層が透明基材に積層された導電体層積層体に対して、大きさが一回り小さい透明被覆シートを導電体層積層体の中央部に貼付し積層することで、四辺全周囲に設けた接地領域中に四辺全周囲で導電体層を露出させて接地部分を形成する方法（「部分積層法」と呼ぶことにする）や、或いは接地領域も含めて全面に透明被覆シートを一旦貼付し積層した後に接地領域中の接地部分上の透明被覆シートを剥がし除去することで、四辺全周囲で導電体層を露出させて接地部分を形成する方法（「剥離法」と呼ぶことにする）、などが提案されてきた（特許文献１、特許文献２）。
つまり、部分積層法は、予め透明被覆層の接地部分と対峙する部分は除外して、積層する方法であり、剥離法は、先ず透明被覆層を導電体層上の全面に積層後に、接地部分を剥がす方法である。
また、透明被覆シートを剥がすには、透明被覆シートに入れた切れ目部分で不要部分を剥がし除去したりする。
【０００６】
上記「部分積層法」は、一枚毎に透明被覆シートを貼付する枚葉処理となり、ロール・ツー・ロール方式によって連続処理できず生産性に難があるのに対して、上記「剥離法」は、ロール・ツー・ロール方式の連続処理が可能で生産性が期待できる。但し、「剥離法」は、切れ目を透明被覆シートに入れる際に導電体層を切断したり、透明被覆シートを剥がすときに導電体層も伴って剥がしたりする、問題がある。
【０００７】
なお、ここで、「ロール・ツー・ロール方式」とは、シート状材料の加工方式であって、被加工材料を連続帯状のシート状材料の巻取（ロール）から巻き出して供給し、所望の加工を施した後、再度、巻取に巻き取って保管、搬送等する加工方式を意味する。
【０００８】
また、特許文献３には、層内部の導電体層を透明被覆層から表面に露出させずに、アースを表裏面に取り出せる方法が提案されている。すなわち、接地部材として「コ」の字形状の金属線を電磁波遮蔽材を貫通させ、貫通させた先端は折り曲げることで固定し、金属線が層内部で導電体層と接触することで、アースを外部に取り出す方法である。
【先行技術文献】
【特許文献】
【０００９】
【特許文献１】特開平１１−１２６０２４号公報（００１６、図１）
【特許文献２】特開２００３−６６８５４号公報（請求項１、００１８、図１）
【特許文献３】特開２００８−２９４３７４号公報
【発明の概要】
【発明が解決しようとする課題】
【００１０】
しかしながら、特許文献３が開示するアース取り出し構造は、導電体層を表面に露出させる必要はないが、接地部材として電磁波遮蔽材に差し込み先端を折り曲げた金属線の電磁波遮蔽材への固着にややもするとガタツキが生じ易いという問題がある。また、無理矢理に固着させようとすると、電磁波遮蔽材に歪み、たわみ等の破損を生じ易いという問題もある。その上、該金属線と接地領域の導電体層との接触面積が小さい為、接地抵抗を十分に下げることが難しい。
【００１１】
すなわち、本発明の課題は、各種用途、中でも特に、ＰＤＰなど各種ディスプレイの前面に配置する用途に好適な電磁波遮蔽材について、透明被覆層があっても導電体層の剥離や切断、接地部材のガタ、電磁波遮蔽材の損傷なしに、電磁波遮蔽材の層内部から透明被覆層を除去せずに表裏面のいずれにも、十分低い接地抵抗で、アースを取り出せる様にすることである。
【課題を解決するための手段】
【００１２】
そこで、本発明の電磁波遮蔽材は、透明基材上に導電体層、及び電気絶縁体からなる透明被覆層がこの順に積層された積層材の接地領域内で接地を行う接地部分に、該積層材を貫通する接地孔に対して、該積層材の一方の面から導電金属シートが、その一部を該一方の面に沿って接地孔周囲に広がり、残りの部分が該接地孔を貫通すると共に該接地孔の側面で露出する前記導電体層に接触し、更に該接地孔を貫通した導電金属シートは前記一方の面に広がる導電金属シートと連続した状態で分割された折返し片となって、該接地孔周囲の積層材の他方の面に沿って広がり、更に導電金属シートが貫通した後の接地孔部分には積層材の表裏空間を連結する空洞を有する、電磁波遮蔽材、とした。
【００１３】
また、本発明の電磁波遮蔽材は、上記構成に於いて更に、接地孔の周囲で積層材表裏両側に沿って広がる導電金属シート部分に、表裏で互い違いに且つ接地孔周囲に沿う形状で積層材に食い込む表側凹陥部と裏側凹陥部との凹陥部によって、導電金属シートの積層材への固定が補強されている、電磁波遮蔽材とした。
【００１４】
また、本発明の電磁波遮蔽材は、上記何れかの構成に於いて更に、導電金属シートが貫通した接地孔部分の空洞に、該空洞を貫通する固定具で導電金属シートを積層材に圧迫することで、導電金属シートの積層材への固定が補強されている、電磁波遮蔽材とした。
【発明の効果】
【００１５】
本発明によれば、接地部分の導電体層上に透明被覆層が在っても、導電体層の剥離や切断、金属線などの接地部材のガタ、電磁波遮蔽材の損傷なしに、表裏いずれの面に、透明被覆層を除去せずに、層内部の導電体層から、十分低い接地抵抗で、アースを容易に取り出せる。
また、表裏互い違いの表側凹陥部と裏側凹陥部や、接地孔空洞を貫通する固定具によって、導電金属シートの固定が補強され、より安定的にアースを取り出せる。
【図面の簡単な説明】
【００１６】
【図１】本発明の電磁波遮蔽材の接地構造をその一形態で概念的に示す部分拡大図であり、（Ａ）は側面から見た断面図、（Ｂ）は視点ｂ側から見た（表側面の）平面図、（Ｃ）は視点ｃ側から見た（裏側面の）平面図。
【図２】接地孔での導電金属シートの折返し片の折返しを説明する平面図で、（Ａ１）及び（Ａ２）が図１（Ｂ）の表側面に対応し、（Ｂ１）及び（Ｂ２）が図１（Ｃ）の裏側面に対応する。
【図３】本発明の電磁波遮蔽材の接地構造の他の一形態例（凹陥部で補強）を示す断面図。
【図４】本発明の電磁波遮蔽材の接地構造の他の一形態例（固定具で補強）を示す断面図。
【図５】本発明の電磁波遮蔽材の取り付け例を概念的に示す断面図。
【図６】同、一画面分に於ける接地部分の位置例の２例を示す平面図。
【図７】画像表示領域、接地領域、パターン領域の位置関係を例示する平面図。
【発明を実施するための形態】
【００１７】
以下、本発明の実施の形態について、図面を参照しながら説明する。
【００１８】
［要旨］
先ず、図１（Ａ）は本発明による電磁波遮蔽材１０において、その接地部分に於ける接地構造（アース取り出し構造）の一形態例を概念的に示す部分拡大断面図である。なお、接地部分とは接地領域中で実際にアースを取り出せる様にした部分である。同図の電磁波遮蔽材１０は、層構成が、透明基材１、導電体層２、透明被覆層３の少なくとも各層がこの順に積層された積層材４を電磁波遮蔽材原反として、この積層材４の接地部分に積層材４を貫通する接地孔５が形成されている。更に、この接地孔５に導電金属シート６を一部は接地孔５周囲の積層材４の表側面（図面上側）に沿って広げて残し、残りの部分の導電金属シート６を接地孔５を通して接地孔５の側面と接触させ、そこで露出した導電体層２と導通部Ｃで電気的に接続する。そして、接地孔５を通した導電金属シート６の先は分割して折返し片６ａにして接地孔５周囲の積層材裏側面に沿って広げて折り返すことで、表裏空間を連結する空洞Ａが接地孔部分に形成される形で、導電金属シート６を接地部分に適用して、積層材４の層内部から導電金属シート６によって、表裏面に接地を取れる様にした接地構造としてある。
【００１９】
次に、図１（Ｂ）は、図１（Ａ）で積層材４の図面上側の視点ｂ側から見た（表側面の）平面図であり、平面視円形の接地孔５の周囲に広がる導電金属シート６の輪郭形状は四角形状（長方形）としてある。
また、図１（Ｃ）は、図１（Ａ）で積層材４の図面下側の視点ｃ側から見た（裏側面の）平面図であり、接地孔５の周囲に広がる導電金属シートは、その形状が、接地孔５の平面視円形の大きさに収まる寸法で斜め十文字状に切断した部分が（図面２（Ａ１）参照）、図面で上下左右に４つに分かれた略三角形状の折返し片６ａとなっている。
【００２０】
なお、本発明では、「表側」、「裏側」とは、透明基材１に対して導電体層２が積層された導電体層２側を「表側」（図面で上方の側）と呼び、これとは逆の側である透明基材１側を「裏側」（図面で下方の側）と呼ぶことにする。
【００２１】
ここで、図２の平面図は、接地孔５を通す部分の導電金属シート６について、接地孔５を通した先を折り返して成形する様子を概念的に説明する図面である。図２（Ａ１）及び図２（Ａ２）が図１（Ｂ）の表側面の平面図に対応し、図２（Ｂ１）及び図２（Ｂ２）が図１（Ｃ）の裏側面の平面図に対応する。
折り返し前の状態では、図２（Ａ１）の様に、表側から見ると、導電体層２に隠れ点線で示す接地孔５に収まる部分の導電金属シート６は、同図の場合では斜め４５°の斜め十文字形状で接地孔５の大きさの分割線６ａで分割され（接地孔周囲に広がる部分とは分断されてなく連続しており電気的に接続している）、この状態を裏側から見ると図２（Ｂ１）の様に、接地孔５の表側周囲に広がり透明基材で隠れている点線表示の導電金属シート６が、透明基材１がない接地孔５の部分では分割線６ｃで分割されているのが見える。
そして、折り返した後の状態が、表側が図２（Ａ２）でこれは図１（Ｂ）と同じであり、裏側が図２（Ｂ２）でこれは図１（Ｃ）と同じである。図２（Ｂ１）で接地孔５内部で見える分割線６ｃで分割された導電金属シートの折返し片６ａ部分を、接地孔５を通した先で接地孔５の周囲の方向に折り返すと、同図の場合では図２（Ｂ２）の様な略三角形状の折返し片６ａとなり、その結果、導電金属層６が貫通後の接地孔５には、表裏空間を連結する空洞Ａが形成される。この空洞Ａは、後述する固定補強用の固定具８などの挿入に利用することができる。
【００２２】
なお、図１及び図２では、導電金属シート６は接地孔５を表側から裏側に（図面上方から下方へ）通した形態であるが、本発明では、通す方向は、この逆の形態でもよい（下記図３及び図４なども同様）。
【００２３】
また、図３、図４で例示する形態の電磁波遮蔽材１０の様に、導電金属シート６の積層材４への固定を補強する為に、導電金属シート６を表裏で互い違いとなる凹陥部７Ａ及び７Ｂで積層材４に食い込ませたり（図３参照）、導電金属シート６適用後の空洞Ａ内に更に挿入する固定具８（８Ａ、８Ｂ）で導電金属シート６を積層材に圧迫したりしても良い。
【００２４】
以下、本発明を更に詳述する。
【００２５】
［接地孔］
接地孔５は、積層材４を貫通し、接地孔の側面で導電体層２の断面を露出させる孔であり、この様な接地孔は、ドリル、ポンチ、レーザドリル、プレスなど公知の穿孔具によって穿孔加工することで形成できる。なお、接地孔５の平面視形状は、円形が代表的であるが、楕円形、四角形、五角形、六角形、八角形、星芒形など、その他形状でも良い。また、接地孔の厚み方向形状は、断面形状一定の筒形状が代表的であるが、円錐形状、角錐形状等その他形状でもよい。
なお、接地孔５の平面視の大きさは、導電体層のパターンの大きさに応じたものとすれば良い。例えば、接地孔５を適用する接地部分がパターン領域でそのパターンがメッシュであれば、接地孔５の大きさをメッシュピッチよりも大きくすれば必ずメッシュの細線に接地孔５は遭遇できる。従って、接地孔５の平面視での大きさは直径で、例えば０．５ｍｍ〜２０ｍｍ程度である。
【００２６】
接地孔５を設ける位置は、接地性能の点では、平面視四角形の電磁波遮蔽材の四辺各辺に沿ってなるべく全周囲に位置させるのが好ましい。電磁波遮蔽材の四辺全周囲に沿って複数の接地孔を設けて、接地孔全体として四辺全周囲で額縁形状で層内部からアースを取り出せる様に設けるのが良い。
なお、接地孔を複数配列する場合、規則的に直線状或いはジグザグ（Ｚｉｇｚａｇ）に等間隔に配置しても良いし、不規則に配置しても良い。
【００２７】
［導電金属シート］
導電金属シート６としては、導電性の金属箔などの金属性シート状物を利用できる。例えば、金属箔の金属としては、金、銀、白金、銅、アルミニウム、錫、亜鉛、ニッケルなどの導電性の金属、あるいは導電性の合金、例えば銅と亜鉛の合金である真鍮などである。導電金属シートの厚みは特に制限はなく、例えば１０〜１０００μｍ程度である。
なお、導電金属シートは、接地孔を通した先で接地孔周囲に折り返して（折り曲げて）広げて積層材を表裏面から挟んだ構造とすることで積層材に固定する観点からは、折返した形状を維持できる様に厚さは厚い方が好ましく、一方、折り返すには厚さが薄い方が容易であるので、これらの適性のバランスをみて適宜厚さのものを選択すればよい。
【００２８】
導電金属シート６を複数の接地孔５に適用する場合、一つの接地孔毎に一枚の導電金属シートを適用しても良く、複数の接地孔に共通の一枚の導電金属シートを適用しても良い。また、平面視形状が四角形の電磁波遮蔽材の各辺に沿う各接地領域において、一つの辺に沿う接地領域毎に一枚の導電金属シートを適用しても良く、隣接する辺に沿う各接地領域間で共通の一枚の導電金属シートを適用してもよく、一つの辺に沿う接地領域内で複数の導電金属シートを適用してもよい。また、隣接する導電金属シート同士は重ねて積層しても良い。
一つの接地孔毎に一枚の導電金属シートを適用すれば、接地孔に導電金属シートを通して先を折り返す際に、表面に広がった導電金属シートにヒキツレ等ひずみが仮に伝播したとしても、一枚の導電金属シート内で留めて、隣接する導電金属シートへ波及するのを防げる。
なお、導電金属シート６の大きさ、つまり積層材の表側面や裏側面で広げる（接地孔部分の大きさも含めた）大きさは、当然、接地孔５の大きさよりも大きくなるが、接地を取り出す相手のアース部材やアース電極の大きさよりも大き過ぎてもその部分では接地がとれないので、これらを勘案して適宜に設定すると良い。
【００２９】
また、導電金属シート６は、接地孔５周囲の積層材４を表裏から挟んだ形で固定されているが、接地孔周囲に広がった部分については、該積層材の面に固着させて固定する為に、粘着剤や接着剤で接着してもよい。
【００３０】
なお、導電金属シート６で、図１の様な接地構造とするには、例えば、ポンチなどの穿孔具で積層材４に円筒形状などの接地孔５を設けた後、接地孔５の周囲表側面に載せた導電金属シート６を、プレスなどの成形機で接地孔５内部に押込んで側面と接触する様に成形し、更に折返し部分に分割線６ｃの切れ目を入れ、出来た折返し片６ａを成形して接地孔５周囲の裏側面に折り返す様に折り曲げて広げることで作製するとよい。
【００３１】
［凹陥部］
図３で例示する電磁波遮蔽材１０では、その接地構造として、図１で例示の形態に対して、積層材４の表裏両面で接地孔５の周囲の面に沿って広がる導電金属シート６に対して、接地孔５から離れた接地孔５周囲の位置に、積層材４に食い込ませる凹陥部７Ａ及び７Ｂを設けた形態である。
凹陥部７Ａは、接地孔５を貫通させずに一部残した側（図面では表側）の導電金属シート６に、凹陥部７Ｂは接地孔５を貫通して折返し片６ａとした側（図面では裏側）の導電金属シートに施してある。凹陥部７Ａは表側面の導電金属シート６に、凹陥部７Ｂは裏側面の導電金属シートである折返し片６ａに施してある。
ここで、表側と裏側を区別する為に、表側面の凹陥部は表側凹陥部７Ａとも呼び、裏側面の凹陥部は裏側凹陥部７Ｂとも呼び、表裏を区別しないときは単に凹陥部、凹陥部７とも呼ぶ。（なお、仮に図３とは逆に、導電金属シート６を裏側から接地孔５を貫通させる形態に対しては、折返し辺６ａが表側になり、これに適用される方が表側凹陥部７Ａとなるが、ここでは図３の形態で表側、裏側の各凹陥部を説明する。）
【００３２】
しかも、表側凹陥部７Ａと裏側凹陥部７Ｂとは、平面視位置が接地孔５からの距離で互い違い、つまり図３の様に接地孔５からの距離が互いに異なる位置で設けてある。表裏で互い違いの凹陥部７とすることで、表側凹陥部７Ａと裏側凹陥部７Ｂとの協働作用で、積層材４を凹陥部７で挟み込む力に面方向（図面左右方向）成分が加わった力が作用して、導電金属シート６の積層材４への固定が補強される。
なお、凹陥部７を形成するには、プレス加工などによって導電金属シート６を積層材４に押込む様に成形すれば良い。
【００３３】
凹陥部７の平面視形状は、接地孔５からの距離が表裏で互い違いとなる形状であれば特に制限はなく、例えば円形であれば、接地孔５の中心を中心とする円形の場合、表裏で互いに半径が異なる円である。但し、裏側凹陥部７Ｂは、折返し片６ａが接地孔５から離れた位置では分割線６ｃで切断して形成されている関係上、接地孔５の全周囲には存在しないので、その折返し片６ａがなく積層材４が露出している部分も含めて接地孔５の全周囲に設けても良く、折返し片６ａの在る部分のみ設けても良い。
また同様に、表側凹陥部７Ａも含めて、凹陥部７の平面視形状が円であっても、その円の全周囲を凹陥部としても良く、円の円周上に点線状などで凹陥部を散在させても良い。
【００３４】
凹陥部の個数は、図３の例では、円形でその半径が互いに異なる表側凹陥部７Ａと裏側凹陥部７Ｂのリング形状のものを表裏各１個で合計２個設けたものであったが、表側凹陥部７Ａ、裏側凹陥部７Ｂは各々複数設けても良い。つまり円形で言えば、異なる半径のものを片側当たり複数設けてもよい。例えば、表側凹陥部７Ａを２つのリングで裏側凹陥部７Ｂは一つのリングで設け、これら３つのリングを平面視互い違いの半径位置に設けても良い。また、表側に２個、裏側に２個、合計４個でもよい。
なお、図３に於いては、積層材４の表裏両面に表側凹陥部７Ａ及び裏側凹陥部７Ｂの両方を形成した形態を例示した。導電金属シート６の固着効果上はこの様な形態が一番好ましいが、勿論、それ程大きな固着効果を望まない場合には、積層材４の表面に表側凹陥部７Ａのみを形成した形態、或は積層材４の裏面に裏側凹陥部７Ｂのみを形成した形態とすることも出来る。
【００３５】
［固定具］
図４で例示する電磁波遮蔽材１０では、その接地構造として、図１で例示の形態に対して、導電金属シート６を接地孔５に適用後に残った接地孔５の部分に出来た空洞Ａの中に、更に固定具８（８Ａ及び８Ｂ）を通して、導電金属シート６の積層材４への固定を補強した形態である。
また、固定具８は図２の凹陥部で補強した形態に、更に適用して補強しても良い。
【００３６】
固定具８は、材質的には、鉄、銅、アルミニウム、真鍮、ステンレスなどの金属の他、オレフィン樹脂、ポリエステル樹脂、ポリアミド樹脂などの樹脂でも良い。金属の場合、固定具からもアースを取れる。
固定具８は、接地孔５に適用後の導電金属シート６について、その積層材４への固定を強化できるものであれば特に制限はない。例えば、固定具８としては、鳩目、カシメ、リベット、ホックなど用いると良く、また、両面鳩目、両面カシメなどと、本体８Ａを空洞を貫通させた先を受け止める座金などの受け具８Ｂと、本体８Ａとがセットになって一対で機能する固定具を用いても良い。
【００３７】
図４に例示の固定具は、固定具本体８Ａと、それを空洞に通した先端を受け止めて固定具の本体に固定される座金等の受け具８Ｂとで一対となる構成の固定具の例である。また、同図では受け具８Ｂは中間に孔があるリング状の例であり、固定具で固定後も、固定具内に空洞が形成される形態である。
固定具８は、導電金属シート６を積層材４に固定するのみならず、導電金属シート貫通後に於ける接地孔５の空洞Ａ内に存在する部分で、導電金属シート６を接地孔側面に押し付けて圧迫することが可能であり、これにより接地孔側面で露出した導電体層２と導電金属シート６との電気的導通を安定化できる。
【００３８】
［電磁波遮蔽材の取り付け例］
そして、以上の様な接地構造を備えている電磁波遮蔽材１０は、例えば図５で例示する様に、裏側面で露出する導電金属シート６で、ディスプレイ前面板２１のアース電極２２に接する様に間に導電ガスケット（不図示。図面は取り付け前で導電金属シート直下に空間がある状態）等を適宜介して取り付ければ、裏側でアース接続できる。なお、図５に例示の電磁波遮蔽材１０は、図３で例示した様な凹陥部７Ａ、７Ｂで固定を補強した形態のものである。
【００３９】
次に、透明基材、導電体層、透明被覆層などの各層について説明する。なお、これらは公知のものを適宜選択することができる。
【００４０】
［透明基材］
透明基材１には、公知の透明な材料を使用すれば良く、可視光線領域での透明性、耐熱性、機械的強度等を考慮すると、樹脂フィルム（乃至シート）が代表的である。樹脂フィルム（乃至シート）の樹脂は例えば、ポリエステル系樹脂、アクリル系樹脂、ポリカーボネート系樹脂、ポリイミド系樹脂、或いは、シクロオレフィン重合体などのポリオレフィン系樹脂、トリアセチルセルロースなどのセルロース系樹脂等である。なかでも、２軸延伸ポリエチレンテレフタレートフィルムは好適な材料である。なお、透明基材の厚みは、取扱性、コスト等の点で通常１２〜５００μｍ、好ましくは２５〜２００μｍだが、特に制限はない。
【００４１】
［導電体層］
導電体層２は、図７の様に、画像表示領域２Ｄに光透過性確保の為にパターン領域２Ａが必要な層であり、該層自体は不透明な層である。また、導電体層２は、画像表示領域２Ｄ周囲の画像表示に影響のない部分に、接地の為に、画像表示領域２Ｄと電気的に接続した接地領域２Ｂも有する。
なお、接地領域２Ｂの領域内で、接地孔などによって実際にアースを取り出せる様にした部分が接地部分である。
【００４２】
また、本発明に於いて、画像表示領域２Ｄと接地領域２Ｂとが電気的に接続していると言うことの意味は、画像表示領域２Ｄと接地領域２Ｂとが連続一体の層から形成されている形態の他、画像表示領域２Ｄと接地領域２Ｂとが各々別個に（同材料又は異材料にて）形成されたものを溶接、ハンダ付け、導電性接着剤での接着、圧着加工等により両者間の電気的導通を確保した状態で接続する形態も包含する。
【００４３】
この様な導電体層２は、公知のものでよく、代表的には、銅、アルミニウム等の金属層、或いは銀等から成る導電性粒子を樹脂バインダ中に分散させた導電性組成物層などである。通常、金属層は金属箔からフォトエッチング法などで形成し、導電性組成物層は導電性組成物のインキの印刷で形成する。
【００４４】
なお、本発明では、接地孔５の部分で層内部側面に露出する導電体層２の断面で導電金属シート６と電気的な接続を取る関係上、接地孔一個当たりの導電体層断面での露出面積ひいては接触面積を広くできる点では、金属蒸着膜の様な薄膜による導電体層よりは、厚みを厚くし易い前記金属箔や前記導電性組成物層による導電体層の方が好ましい。
【００４５】
パターン領域２Ａにおけるパターンの平面視形状は、特に制限はなく公知の形状でよく、例えば、メッシュ形状（格子模様）、ストライプ形状（直線状縞模様、螺旋模様など）などである。なかでもメッシュ形状、それも正方格子形状が代表的である。なお、パターンの形成は、公知の方法、例えば、ケミカルエッチング、印刷法等により行えば良い。
【００４６】
なお、アースを取り出す部分の導電体層２、さらに接地領域２Ｂの導電体層２は、開口部を設けないで連続層（ベタ層）でも良いが、パターン領域２Ａとしても良く、パターン領域２Ａでも透明被覆層３で被覆されておれば導電体層の損傷を防げる。しかも、本発明では、パターン領域２Ａとなった接地領域を保護などの為に透明被覆層で被覆しても、接地孔を通した導電金属シートによってアースを取り出せる利点がある。また、接地領域２Ｂもパターン領域２Ａとすれば、異なる画面サイズ、異なる接地領域サイズなどに対応させた、一画面単位のシートの切り出しサイズや切り出し位置の自由度を増やせる。
【００４７】
なお、導電体層２が特に画像表示領域２Ｄの場合、コントラスト向上の為に、導電体層２としては、その表面が黒化処理層を有するのが好ましい。黒化処理層としては、電磁波遮蔽材において公知のものを適宜採用すれば良い。
【００４８】
［透明被覆層］
透明被覆層３は、導電体層２を被覆する電気絶縁性の層である。透明被覆層３は、各種光学フィルタ、光学フィルタ機能以外のその他の機能を担う機能層などである。透明被覆層は透明被覆シートの積層や、塗料で塗布形成した透明被覆塗膜として形成する。透明被覆層３には、公知のものを適宜選択する事ができる。
【００４９】
（光学フィルタ）
光学フィルタとしては公知の光学フィルタ、例えばその光学機能としては、近赤外線を吸収する近赤外線吸収機能、紫外線を吸収する紫外線吸収機能、或いは、視覚上の効果が得られる、ＰＤＰのネオン光を吸収するネオン光吸収機能、表示画像を好みの色調に補正する色補正機能などの特定光透過機能、反射防止機能（防眩、反射防止、防眩及び反射防止兼用のいずれか）、特開２００７−２７２１６１号公報等に記載の微小ルーバによる外光反射防止機能などである。光学フィルタは、これら機能の１又は２以上を備え、単層又は多層構成によって複数機能を兼用することができる。
【００５０】
これら各種の光学フィルタ機能は、例えば、近赤外線吸収機能、ネオン光吸収機能、色補正機能などは、これら機能に応じた色素（近赤外線吸収色素、ネオン光吸収色素、色補正色素）を用い、紫外線吸収機能は紫外線吸収剤を用いるなど、公知の材料・方法で実現できる。例えば、これら材料を樹脂中に分散させた樹脂層を光学フィルタとして、公知の塗工法、押出法などで形成することができる。また、反射防止機能なども含めて光学フィルタ機能を担う光学フィルタは、適宜透明な基材に積層して光学フィルタとすることもある。なお、ここでの透明な基材としては、透明基材１で列記した材料を使用できる。
【００５１】
（その他の機能層）
光学フィルタ機能以外のその他の機能層としては、公知の機能層、例えばその機能として、導電体層のパターン領域に於ける凹凸を平坦化する平坦化樹脂層、導電体層や光学フィルタの表面を保護する表面保護層、ハードコート層、帯電防止層、汚染防止層、耐衝撃層、或いは２層間を密着させる接着剤層（含む粘着剤層）などである。これら機能層は単層或いは多層で積層され、また、単層で複数機能を兼用することもある。
【００５２】
［電磁波遮蔽材の一画面分（一単位）に於ける実施形態例］
次に、本発明の実施形態について、電磁波遮蔽材の一画面分に相当する一単位に於ける各部分への接地構造の適用例を、図６を参照して更に説明する。
【００５３】
先ず、図６（Ａ）の形態例、及び図６（Ｂ）の形態例は共に、複数の導電金属シート６を全体として額縁状になる様に適用した形態例を示し、裏側でも表側でも表裏どちらからでも、導電金属シート６を利用してアースを取れる。
また、これら形態例は共に、幅方向ＴＤの両端の接地領域２Ｂでは、「部分積層法」を利用して、透明被覆層３は最初から不存在の領域として導電体層２を連続面で露出させてある。「部分積層法」では、電磁波遮蔽材１０の幅方向ＴＤの（導電体層の）全幅よりも狭い幅の透明被覆シートを積層したり、塗料を該全幅よりも狭い幅で塗工したりすることで、幅方向ＴＤ両端に導電体層２が連続面で露出した接地領域２Ｂを形成する。
また、これら形態例では、導電体層２は全ての接地領域２Ｂを含めて電磁波遮蔽材１０の全面がパターン領域２Ａとなっている。
【００５４】
なお、図６（Ａ）及び図６（Ｂ）では、透明被覆層３の形成対象とする、透明基材１上に導電体層２を積層した連続帯状の導電体層積層シートを、ロールから巻き出して連続帯状で貼付加工して形成するときの、該導電体層積層シートの走行方向である流れ方向ＭＤ（Ｍａｃｈｉｎｅ  Ｄｉｒｅｃｔｉｏｎ）を図面上下方向、幅方向ＴＤ（Ｔｒａｎｓｖｅｒｓｅ  Ｄｉｒｅｃｔｉｏｎ）を図面左右方向としてある。
【００５５】
なお、この様な、透明被覆層３が部分形成された電磁波遮蔽材１０は、透明被覆層の形成を、連続帯状の透明被覆シートを連続的に積層する事で形成したり、塗料で塗工形成したりする場合に好適な形態である。また、ロール・ツー・ロール方式での連続生産に適した形態である。
【００５６】
図６（Ａ）の形態例を更に説明すれば、同図の形態例では、流れ方向ＭＤ両端の辺に沿う（図面上下方向両端の）導電金属シート６は、透明基材と導電体層と透明被覆層とを貫通する接地孔５を貫通しており、幅方向ＴＤ両端の辺に沿う（図面左右方向両端の）導電金属シート６は表側周囲に透明被覆層３が存在せず、透明基材と導電体層とを貫通する接地孔５を貫通している。電磁波遮蔽材１０となる積層材は、層構成が少なくとも透明基材１上に導電体層２及び透明被覆層３がこの順に積層された構成である。
【００５７】
そして、流れ方向ＭＤ両端の辺に沿う導電金属シート６周囲の部分の断面は、例えば前記図１〜４で例示の形態の接地構造である（凹陥部７や固定具８は不図示とする）。
一方、幅方向ＴＤ両端の辺に沿う導電金属シート６周囲の部分の断面は、これに対して積層材の透明被覆層３がない構成である。
なお、少なくとも図１や図３の形態の場合は、接地孔５の部分は電磁波遮蔽材１０の表裏両側空間を連結する空洞となっている。
【００５８】
図６（Ａ）の形態例は、導電金属シート６を四方各辺に沿って平行に等間隔で複数配置し、一個の接地孔５毎に一枚の導電金属シート６ｔを適用した例である。
一方、図６（Ｂ）の形態例は、接地孔５を四方各辺に沿って平行に等間隔で複数配置し、各辺毎に一枚の導電金属シート６を複数の接地孔５に適用した例である。
なお、導電金属シート６と導電体層２との電気的接続を行う導通部は、流れ方向ＭＤ両端の辺に沿う導電金属シート６の場合は接地孔５の層内部に形成されるが、幅方向ＴＤ両端の辺に沿う導電金属シート６の場合は、そこに透明被覆層３が存在せず導電体層２が露出しているので、この露出した導電体層との面状接触形態でも形成されている。そして、この面状接触形態の接地構造では、そこから裏側へのアース取り出しもできることなる。
【００５９】
［製造方法］
なお、上記の様な電磁波遮蔽材１０を製造する方法を例示すれば、例えば、先ず、透明基材１上に、画像表示領域に該当する少なくとも中央部分にパターン領域２Ａを有する導電体層２を積層した、連続帯状の導電体層積層シートを準備し、この導電体層積層シートに対して、その幅方向ＴＤ両端の両接地領域２Ｂとする部分が示す幅方向ＴＤ外側間の距離よりも小さい幅で、両接地領域２Ｂの幅方向ＴＤ両側が共に露出する様に、透明被覆層３を透明被覆シートの積層又は塗料の塗布形成にて形成すること（部分積層法）で、幅方向ＴＤ両側の辺に沿った接地領域２Ｂの導電体層２を露出させた積層材４として積層体シートを作製する。
次に、四方各辺に沿う接地領域２Ｂに穿孔加工で接地孔５を形成した後、接地孔５の部分の片面に接地孔５よりも大きい導電金属シート６を載せて、導電金属シート６の接地孔５で囲われる範囲内で分割した先端の折返し片６ａを、接地孔５を通した先で接地孔５の周囲に折り曲げて積層体シートに固定することで、表裏両側の面に沿って広がる導電金属シート６によって表裏両側でアースを取り出せる接地構造を備えた、電磁波遮蔽材が製造できる。
【００６０】
［その他の層、部材など］
なお、本発明では、上記した各層以外に、本発明の主旨を逸脱しない範囲内で、その他の層や部材を適用したものとしても良い。
例えば、導電体層が金属箔由来の場合などで、導電体層を透明基材に固着する為の透明接着剤層である。もちろん、導電体層が透明基材に透明接着剤層なしでも密着するならば、透明接着剤層は省略できる。例えば、導電体層を導電性組成物層として、透明基材上に導電性組成物の印刷法により形成する場合などである。
或いは、導電体層が積層された側とは反対側の透明基材の面に、ディスプレイ前面板などの被着体に貼り付ける為の粘着剤層やそのセパレータフィルムなどである。
【００６１】
また、本発明の電磁波遮蔽材では、上記本発明の接地構造以外の接地構造が併用されていても良い。
【００６２】
［用途］
本発明の電磁波遮蔽材は、各種用途に使用可能である。特に、テレビジョン受像装置、測定機器や計器類、事務用機器、医療機器、電算機器、電話機、電子看板、遊戯機器等の表示部等に用いられるＰＤＰ、ＣＲＴ、ＬＣＤ、ＥＬなどの各種画像表示装置の前面フィルタ用として好適であり、特にＰＤＰ用として好適である。又、その他、住宅、学校、病院、事務所、店舗等の建築物の窓、車輛、航空機、船舶等の乗物の窓、電子レンジ等の各種家電製品の窓等に於ける電磁波遮蔽用途にも使用可能である。
【符号の説明】
【００６３】
１    透明基材
２    導電体層
２Ａ  パターン領域
２Ｂ  接地領域
２Ｄ  画像表示領域
３    透明被覆層
４    積層材
５    接地孔
６    導電金属シート
６ａ  折返し片
６ｃ  分割線
６ｔ  一単位の導電金属シート
７Ａ  表側凹陥部
７Ｂ  裏側凹陥部
８    固定具
８Ａ  固定具本体
８Ｂ  受け具（座金など）
１０    電磁波遮蔽材
２１    ディスプレイ前面板
２２    アース電極
Ａ      空洞
Ｃ      導通部
ＭＤ    （シート）流れ方向
ＴＤ    （シート）幅方向
【図１】
2011009492.tif 000003
【図２】
2011009492.tif 000004
【図３】
2011009492.tif 000005
【図４】
2011009492.tif 000006
【図５】
2011009492.tif 000007
【図６】
2011009492.tif 000008
【図７】
2011009492.tif 000009